(57)【要約】【課題】防水性を向上させることが可能な分割グロメットを用いたシール構造の提供。【解決手段】シール構造１は、天井板４の貫通孔５を挿通する配管２，３と貫通孔５との間を、分割グロメット６を用いて密封する。シール構造１は、１対のグロメット分割体１１，１２と、１対の板状ブラケット７，８と、シール材１０とを備える。１対のグロメット分割体１１，１２は、分割グロメット６を構成する。１対の板状ブラケット７，８は、１対のグロメット分割体１１，１２がそれぞれ密着した状態で装着される。１対の板状ブラケット７，８は、貫通孔５を挿通する配管２，３の外周の略全域に１対のグロメット分割体１１，１２が密着した状態で天井板４に締結固定される。シール材１０は、天井板４に締結固定された１対の板状ブラケット７，８の間に塗着されて硬化する。【選択図】図４
2016148355.tif 000002
【特許請求の範囲】
【請求項１】
板状部材の貫通孔を挿通する線状部材と前記貫通孔との間を分割グロメットを用いて密封するシール構造であって、
前記分割グロメットを構成する１対のグロメット分割体と、
前記１対のグロメット分割体がそれぞれ密着した状態で装着される１対の板状ブラケットと、
シール材と、を備え、
前記１対の板状ブラケットは、前記貫通孔を挿通する前記線状部材の外周の略全域に前記１対のグロメット分割体が密着した状態で前記板状部材に締結固定され、
前記シール材は、前記板状部材に締結固定された前記１対の板状ブラケットの間に塗着されて硬化する
ことを特徴とするシール構造。
【発明の詳細な説明】
【技術分野】
【０００１】
本発明は、分割グロメットを用いて密封するシール構造に関する。
【背景技術】
【０００２】
特許文献１には、上側ブラケットに取り付けられる半円環状の上側分割グロメットと、下側ブラケットに取り付けられる半円環状の下側分割グロメットとを備える隙間埋め部材が記載されている。上側ブラケットを上板部に取り付け、ラジエータホースの上側半分を上側分割グロメット内に位置させ、下側ブラケットをラジエータホースの下側に位置させてラジエータホースの下側半分を下側グロメットで覆い、各ブラケットの各境界縁を密着させ、下側ブラケットを上部板にボルトで取り付けることにより、隙間埋め部材が取り付けられる。
【先行技術文献】
【特許文献】
【０００３】
【特許文献１】特開２０１２−１３６８４６号公報
【発明の概要】
【発明が解決しようとする課題】
【０００４】
しかし、上記構造では、２つのブラケットの境界縁同士を密着させているだけであるため、境界縁の間から水が浸入してしまうおそれがある。
【０００５】
そこで、本発明は、分割グロメットを用いたシール構造において、防水性を向上させることを目的とする。
【課題を解決するための手段】
【０００６】
上記目的を達成すべく、本発明は、板状部材の貫通孔を挿通する線状部材と前記貫通孔との間を、分割グロメットを用いて密封するシール構造であって、１対のグロメット分割体と１対の板状ブラケットとシール材とを備える。
【０００７】
１対のグロメット分割体は、分割グロメットを構成する。１対の板状ブラケットは、１対のグロメット分割体がそれぞれ密着した状態で装着される。
【０００８】
１対の板状ブラケットは、貫通孔を挿通する線状部材の外周の略全域に１対のグロメット分割体が密着した状態で板状部材に締結固定される。シール材は、板状部材に締結固定された１対の板状ブラケットの間に塗着されて硬化する。
【０００９】
上記構成では、シール材が板状ブラケットの間に塗着されて硬化するので、板状ブラケットの境界縁からの水の浸入を確実に防止することができ、防水性が向上する。
【発明の効果】
【００１０】
本発明のシール構造によれば、分割グロメットを用いたシール構造において、防水性を向上させることができる。
【図面の簡単な説明】
【００１１】
【図１】本発明の実施形態に係るシール構造の分解斜視図である。
【図２】図４のII−II矢視断面図である。
【図３】図４のIII−III矢視側面図である。
【図４】図１のシール構造を上方から視た平面図である。
【発明を実施するための形態】
【００１２】
以下、本発明の一実施形態について図面を参照して詳細に説明する。
【００１３】
図１〜図４に示すシール構造１は、例えば、キャブの屋根の上に搭載されたエアコン（図示省略）に接続されて車室内へ配策される配管（線状部材）２，３に適用される。このシール構造１は、分割グロメット６と、１対の板状ブラケット７，８と、複数のボルト９と、シール材１０とを備え、車室内の天井板（板状部材）４の貫通孔５を挿通する配管（線状部材）２，３と貫通孔５との間を、分割グロメット６及び板状ブラケット７，８を用いて密封する。
【００１４】
分割グロメット６は、ゴムや樹脂材等からなる１対のグロメット分割体１１，１２によって構成される。１対のグロメット分割体１１，１２は、直線状の分割線を中心として線対称となる形状を有する。
【００１５】
一方のグロメット分割体１１には、他方のグロメット分割体１２と対向する側に、配管２が嵌合する半円形状の嵌合部１１ａと、配管３が嵌合する半円形状の嵌合部１１ｂとが形成されている。嵌合部１１ａには、配管２が嵌合し、嵌合部１１ｂには、他の配管３が嵌合する。一方のグロメット分割体１１には、嵌合部１１ａ，１１ｂが形成されている側の反対側に、板状ブラケット７の切欠き７ａが差し込まれる差込溝１１ｃが形成され、差込溝１１ｃには、板状ブラケット８の切欠き７ａ部分が差し込まれる。
【００１６】
他方のグロメット分割体１２には、一方のグロメット分割体１１と対向する側に、配管２が嵌合する半円形状の嵌合部１２ａと、配管３が嵌合する半円形状の嵌合部１２ｂとが形成されている。嵌合部１２ａには、配管２が嵌合し、嵌合部１２ｂには、他の配管３が嵌合する。他方のグロメット分割体１２には、嵌合部１２ａ，１２ｂが形成されている側の反対側に、板状ブラケット８の切欠き８ａが差し込まれる差込溝１２ｃが形成され、差込溝１２ｃには、板状ブラケット８の切欠き８ａ部分が差し込まれる。
【００１７】
１対の板状ブラケット７，８は、相互に線対称となる平板形状を有する。これら１対の板状ブラケット７，８には、複数のボルト挿通孔（図示省略）がそれぞれ形成され、各ボルト挿通孔をボルト９が挿通する。
【００１８】
一方の板状ブラケット７は、他方の板状ブラケット８と対向する側に、二分割された直線状の対向縁７ｂを有し、２つの対向縁７ｂの間には、グロメット分割体１１が嵌合する切欠き７ａが対向縁７ｂから凹むように形成されている。グロメット分割体の差込溝１１ｃに切欠き７ａを差し込むことによって、切欠き７ａにグロメット分割体１１が嵌合する。
【００１９】
一方の板状ブラケット７と同様に、他方の板状ブラケット８も、一方の板状ブラケット７と対向する側に、二分割された直線状の対向縁８ｂを有し、２つの対向縁８ｂの間には、グロメット分割体１２が嵌合する切欠き８ａが対向縁８ｂから凹むように形成されている。グロメット分割体の差込溝１２ｃに切欠き８ａを差し込むことによって、切欠き８ａにグロメット分割体１２が嵌合する。
【００２０】
これら１対の板状ブラケット７，８は、配管２，３の外周の略全域に１対のグロメット分割体１１，１２が密着した状態で、天井板４に複数のボルト９で締結固定される。天井板４の貫通孔５の周囲には、ボルト９が螺合する複数のボルト孔（図示省略）が形成されている。各ボルト９は、板状ブラケット７，８の上面側から板状ブラケット７，８のボルト挿通孔を挿通して、天井板４のボルト孔（図示省略）に螺合する。係る状態で、板状ブラケット７の対向縁７ｂと板状ブラケット８の対向縁８ｂとが近接又は接触する。
【００２１】
シール材１０は、天井板４に締結固定された１対の板状ブラケット７，８の間（対向縁７ｂ，８ｂの間）、及び板状ブラケット７，８の外周７ｃ、８ｃと天井板４との間にそれぞれ塗着されて硬化する。
【００２２】
次に、配管２，３をブラケット７，８によって天井板４に組付ける作業について、図１及び図４を参照して説明する。
【００２３】
まず、配管２が嵌合部１１ａ，１２ａに嵌合し、かつ、配管３が嵌合部１１ｂ，１２ｂに嵌合するように、１対のグロメット分割体１１，１２を相互に突き合わせる。
【００２４】
次に、一方のグロメット分割体１１が切欠き７ａに嵌合し、かつ、他方のグロメット分割体１２が切欠き８ａに嵌合するように、１対の板状ブラケット７，８を相互に突き合わせる。これにより、板状ブラケット７の切欠き７ａ部分が一方のグロメット分割体１１の差込溝１１ｃに差し込まれ、また、板状ブラケット８の切欠き８ａ部分が他方のグロメット分割体１２の差込溝１２ｃに差し込まれる。
【００２５】
次に、配管２，３の外周の略全域に１対のグロメット分割体１１，１２が密着した状態で、１対の板状ブラケット７，８を天井板４に複数のボルト９で締結固定する。これにより、配管２，３が天井板４によって支持される。
【００２６】
最後に、天井板４に締結固定された１対の板状ブラケット７，８の間、及び各板状ブラケット７，８の外周７ｃ，８ｃと天井板４との間に、シール材１０を塗着して硬化させる。
【００２７】
以上説明したように、本実施形態では、シール材１０が板状ブラケット７，８の間、及び各板状ブラケット７，８と天井板４との間の双方に塗着されて硬化する。従って、板状ブラケット７，８の境界縁からの水の浸入を確実に防止することができ、防水性が向上する。
【００２８】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論であることを付け加えておく。
【産業上の利用可能性】
【００２９】
本発明に係るシール構造は、トラックのキャブ等に利用することができる。
【符号の説明】
【００３０】
１  シール構造
２，３  配管（線状部材）
４  天井板（板状部材）
５  貫通孔
６  分割グロメット
７，８  板状ブラケット
１０  シール材
１１，１２  グロメット分割体
【図１】
2016148355.tif 000003
【図２】
2016148355.tif 000004
【図３】
2016148355.tif 000005
【図４】
2016148355.tif 000006